(57)【要約】【課題】移動局におけるＮＡＳ機能による具体的な再接続手順を規定することで、上述のＬＴＥ-ＡＳ機能の不具合を解消する。【解決手段】本発明に係る移動通信方法は、ＬＴＥ-ＡＳ機能が、ＲＲＣコネクションがアイドル状態になったことを検知した場合に、ＥＭＭ機能に対して、再接続要求を送信する工程と、ＥＭＭ機能が、再接続要求を受信した場合に、サービス要求タイマを起動する工程と、ＥＭＭ機能が、サービス要求タイマが満了する前に、ＬＴＥ-ＡＳ機能が圏内であることを検知した場合に、サービス要求を送信する工程とを有する。【選択図】図３
2010004504.tif 000002
【特許請求の範囲】
【請求項１】
移動局が、第１プロトコル機能及び第２プロトコル機能を用いて、該移動局と無線基地局との間の第１コネクション及び該無線基地局と交換局との間の第２コネクションを介して通信を行う移動通信方法であって、
前記第１プロトコル機能は、前記無線基地局との間で終端する第１プロトコルに対応する処理を行い、
前記第２プロトコル機能は、該第１プロトコルの上位のプロトコルであり、前記移動局と交換局との間で終端する第２プロトコルに対応する処理を行い、
前記第１プロトコル機能が、前記第１コネクションがアイドル状態になったことを検知した場合に、前記第２プロトコル機能に対して、再接続要求を送信する工程と、
前記第２プロトコル機能が、前記再接続要求を受信した場合に、サービス要求タイマを起動する工程と、
前記第２プロトコル機能が、前記サービス要求タイマが満了する前に、前記第１プロトコル機能が圏内であることを検知した場合に、サービス要求を送信する工程とを有することを特徴とする移動通信方法。
【請求項２】
第１プロトコル機能及び第２プロトコル機能を用いて、無線基地局との間の第１コネクション及び該無線基地局と交換局との間の第２コネクションを介して通信を行うように構成されている移動局であって、
前記第１プロトコル機能は、前記無線基地局との間で終端する第１プロトコルに対応する処理を行うように構成されており、
前記第２プロトコル機能は、該第１プロトコルの上位のプロトコルであり、前記移動局と交換局との間で終端する第２プロトコルに対応する処理を行うように構成されており、
前記第１プロトコル機能は、前記第１コネクションがアイドル状態になったことを検知した場合に、前記第２プロトコル機能に対して、再接続要求を送信するように構成されており、
前記第２プロトコル機能は、前記再接続要求を受信した場合に、サービス要求タイマを起動するように構成されており、
前記第２プロトコル機能は、前記サービス要求タイマが満了する前に、前記第１プロトコル機能が圏内であることを検知した場合に、サービス要求を送信するように構成されていることを特徴とする移動局。
【発明の詳細な説明】
【技術分野】
【０００１】
本発明は、移動局が、第１プロトコル機能及び第２プロトコル機能を用いて、該移動局と無線基地局との間の第１コネクション及び該無線基地局と交換局との間の第２コネクションを介して通信を行う移動通信方法、及び、移動局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、移動局ＵＥのＡＳ（Ａｃｃｅｓｓ  Ｓｔｒａｔｕｍ）機能（以下、ＬＴＥ-ＡＳ機能）が、ハンドオーバの失敗や無線品質劣化に起因する「Ｒａｄｉｏ  Ｌｉｎｋ  Ｆａｉｌｕｒｅ」を検知した場合には、
再接続手順を行うように構成されている。
【非特許文献１】３ＧＰＰ  ＴＳ３６.３３１  ｖ８.１.０（２００８年３月版）
【発明の開示】
【発明が解決しようとする課題】
【０００３】
ここで、ＬＴＥ-ＡＳ機能は、当該移動局ＵＥの「ＵＥ  Ｃｏｎｔｅｘｔ」を保持している無線基地局ｅＮＢ（セル）に対してしか、再接続手順を行うことができない。
【０００４】
すなわち、ＬＴＥ-ＡＳ機能は、当該移動局ＵＥの「ＵＥ  Ｃｏｎｔｅｘｔ」を保持していない無線基地局ｅＮＢ（セル）に対して、「ＲＲＣ  Ｃｏｎｎｅｃｔｉｏｎ  Ｒｅｅｓｔａｂｌｉｓｈｍｅｎｔ  Ｒｅｑｕｅｓｔ（再設定要求）」を送信した場合には、「ＲＲＣ  Ｃｏｎｎｅｃｔｉｏｎ  Ｒｅｅｓｔａｂｌｉｓｈｍｅｎｔ  Ｒｅｊｅｃｔ（再設定拒否応答）」を受信し、Ｔ３１１タイマの満了を待つことなく、移動局ＵＥと無線基地局ｅＮＢとの間のＲＲＣコネクションが、アイドル状態に遷移してしまう。
【０００５】
かかる場合、Ｔ３１１タイマが満了していないため、無線基地局ｅＮＢと交換局ＭＭＥとの間のＳ１コネクションが切断されることなく維持されるため、交換局ＭＭＥが、移動局ＵＥ宛ての着信信号やデータ等を受信した場合に、移動局ＵＥとの間のＲＲＣコネクションが解放されている無線基地局ｅＮＢに対して着信信号等を送信してしまい、移動局ＵＥが、かかる着信信号等を受信することができないという問題点があった。
【０００６】
かかる問題点を解決するために、移動局ＵＥのＮＡＳ（Ｎｏｎ  Ａｃｃｅｓｓ  Ｓｔｒａｔｕｍ）機能による再接続手順を行うことが検討されているが、現時点では、移動局ＵＥのＮＡＳ機能による具体的な再接続手順について検討できていない。
【０００７】
そこで、本発明は、上述の課題に鑑みてなされたものであり、移動局におけるＮＡＳ機能による具体的な再接続手順を規定することで、上述のＬＴＥ-ＡＳ機能の不具合を解消することができる移動通信方法及び移動局を提供することを目的とする。
【課題を解決するための手段】
【０００８】
本発明の第１の特徴は、移動局が、第１プロトコル機能及び第２プロトコル機能を用いて、該移動局と無線基地局との間の第１コネクション及び該無線基地局と交換局との間の第２コネクションを介して通信を行う移動通信方法であって、前記第１プロトコル機能は、前記無線基地局との間で終端する第１プロトコルに対応する処理を行い、前記第２プロトコル機能は、該第１プロトコルの上位のプロトコルであり、前記移動局と交換局との間で終端する第２プロトコルに対応する処理を行い、前記第１プロトコル機能が、前記第１コネクションがアイドル状態になったことを検知した場合に、前記第２プロトコル機能に対して、再接続要求を送信する工程と、前記第２プロトコル機能が、前記再接続要求を受信した場合に、サービス要求タイマを起動する工程と、前記第２プロトコル機能が、前記サービス要求タイマが満了する前に、前記第１プロトコル機能が圏内であることを検知した場合に、サービス要求を送信する工程とを有することを要旨とする。
【０００９】
本発明の第２の特徴は、第１プロトコル機能及び第２プロトコル機能を用いて、無線基地局との間の第１コネクション及び該無線基地局と交換局との間の第２コネクションを介して通信を行うように構成されている移動局であって、前記第１プロトコル機能は、前記無線基地局との間で終端する第１プロトコルに対応する処理を行うように構成されており、前記第２プロトコル機能は、該第１プロトコルの上位のプロトコルであり、前記移動局と交換局との間で終端する第２プロトコルに対応する処理を行うように構成されており、前記第１プロトコル機能は、前記第１コネクションがアイドル状態になったことを検知した場合に、前記第２プロトコル機能に対して、再接続要求を送信するように構成されており、前記第２プロトコル機能は、前記再接続要求を受信した場合に、サービス要求タイマを起動するように構成されており、前記第２プロトコル機能は、前記サービス要求タイマが満了する前に、前記第１プロトコル機能が圏内であることを検知した場合に、サービス要求を送信するに構成されていることを要旨とする。
【発明の効果】
【００１０】
以上説明したように、本発明によれば、移動局におけるＮＡＳ機能による具体的な再接続手順を規定することで、上述のＬＴＥ-ＡＳ機能の不具合を解消することができる移動通信方法及び移動局を提供することができる。
【発明を実施するための最良の形態】
【００１１】
（本発明の第１の実施形態に係る移動通信システム）
図１乃至図７を参照して、本発明の第１の実施形態に係る移動通信システムについて説明する。
【００１２】
図１に示すように、本実施形態に係る移動通信システムは、コアネットワークＣＮと、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の交換局ＳＧＳＮ、無線制御装置ＲＮＣ及び無線基地局ＮＢと、ＬＴＥ方式の交換局ＭＭＥ及び無線基地局ｅＮＢとを具備している。
【００１３】
図２に示すように、移動局ＵＥは、ＬＴＥ方式の機能として、ＥＳＭ機能と、ＥＭＭ機能と、ＬＴＥ-ＡＳ機能とを具備しており、ＵＭＴＳ方式の機能として、ＳＭ/ＳＭＳ機能と、ＧＭＭ機能と、ＵＭＴＳ-ＡＳ機能とを具備している。
【００１４】
ここで、ＬＴＥ-ＡＳ機能及びＵＭＴＳ-ＡＳ機能が、移動局ＵＥ無線基地局ｅＮＢ/ＮＢとの間で終端するＡＳプロトコル（第１プロトコル）に対応する処理を行うように構成されている。
【００１５】
また、ＥＭＭ機能及びＧＭＭ機能は、ＡＳプロトコル（第１プロトコル）の上位のプロトコルであり、移動局ＵＥと交換局ＭＭＥ/ＳＧＳＮとの間で終端するＮＡＳプロトコル（第２プロトコル）に対応する処理を行うように構成されている。
【００１６】
なお、移動局ＵＥは、無線基地局ｅＮＢ/ＮＢとの間のＲＲＣコネクション（第１コネクション）及び無線基地局ｅＮＢ/ＮＢと交換局ＭＭＥ/ＳＧＳＮとの間のＳ１コネクション/Ｉｕコネクション（第２コネクション）を介して通信を行うように構成されている。
【００１７】
以下、図３乃至図７を参照して、本実施形態に係る移動通信システムの動作について説明する。
【００１８】
第１に、図３を参照して、本実施形態に係る移動通信システムにおけるＮＡＳ機能による再接続手順が正常に終了する場合の動作（１）について説明する。
【００１９】
図３に示すように、ステップＳ１０００において、移動局ＵＥのＬＴＥ-ＡＳ機能と無線基地局ｅＮＢ-Ａとの間で、ＲＲＣコネクションを介した通信が行われている場合に、ステップＳ１００１において、ＬＴＥ-ＡＳ機能が、かかるＲＲＣコネクションにおいて、「Ｒａｄｉｏ  Ｌｉｎｋ  Ｆａｉｌｕｒｅ」を検知すると、Ｔ３１１タイマを起動する。
【００２０】
ＬＴＥ-ＡＳ機能は、ステップＳ１００２において、セルサーチを行い、ステップＳ１００３において、Ｔ３１１タイマが満了する前に、通信可能なセル（図３の例では、無線基地局ｅＮＢ-Ｂ配下のセル）を検知すると、ステップＳ１００４において、無線基地局ｅＮＢ-Ｂに対して、「ＲＲＣ  Ｃｏｎｎｅｃｔｉｏｎ  Ｒｅｅｓｔａｂｌｉｓｈｍｅｎｔ  Ｒｅｑｕｅｓｔ（再設定要求）」を送信する。
【００２１】
ステップＳ１００５において、無線基地局ｅＮＢ-Ｂは、当該移動局ＵＥの「ＵＥ  Ｃｏｎｔｅｘｔ」を保持していないため、当該移動局ＵＥのＬＴＥ-ＡＳ機能に対して、「ＲＲＣ  Ｃｏｎｎｅｃｔｉｏｎ  Ｒｅｅｓｔａｂｌｉｓｈｍｅｎｔ  Ｒｅｊｅｃｔ（再設定拒否応答）」を送信する。
【００２２】
ステップＳ１００６において、ＬＴＥ-ＡＳ機能は、「ＲＲＣ  Ｃｏｎｎｅｃｔｉｏｎ  Ｒｅｅｓｔａｂｌｉｓｈｍｅｎｔ  Ｒｅｊｅｃｔ（再設定拒否応答）」を受信したため、Ｔ３１１タイマの満了を待つことなく、移動局ＵＥと無線基地局ｅＮＢとの間のＲＲＣコネクションが、アイドル状態に遷移する。
【００２３】
ＬＴＥ-ＡＳ機能は、ステップＳ１００７において、通信可能なセルが存在する場合（すなわち、圏内である場合）、その旨を示す圏内通知をＥＭＭ機能に送信し、また、ステップＳ１００８において、「Ｒｅｃｏｎｎｅｃｔ要求（再接続要求）」をＥＭＭ機能に送信する。
【００２４】
ＥＭＭ機能は、「Ｒｅｃｏｎｎｅｃｔ要求（再接続要求）」を受信した場合に、「Ｒｅｃｏｎｎｅｃｔタイマ（サービス要求タイマ）」を起動する。なお、「Ｒｅｃｏｎｎｅｃｔタイマ」によって計時される時間は、ネットワークを介して設定されてもよいし、固定値であってもよい。
【００２５】
ここで、ＥＭＭ機能は、上述の圏内通知の受信によって、Ｒｅｃｏｎｎｅｃｔタイマが満了する前に、ＬＴＥ-ＡＳ機能が圏内であることを検知しているため、ステップＳ１００９において、ＬＴＥ-ＡＳ機能に対して、「Ｓｅｒｖｉｃｅ  Ｒｅｑｕｅｓｔ（サービス要求）」を送信する。
【００２６】
ステップＳ１０１０において、ＬＴＥ-ＡＳ機能が、「Ｓｅｒｖｉｃｅ  Ｒｅｑｕｅｓｔ（サービス要求）」に応じて、通信可能なセルを管理している無線基地局ｅＮＢ-Ｂに対して、「ＲＲＣ  Ｃｏｎｎｅｃｔｉｏｎ  Ｒｅｑｕｅｓｔ（ＲＲＣコネクション要求）」を送信する。
【００２７】
ステップＳ１０１１において、無線基地局ｅＮＢ-Ｂが、ＬＴＥ-ＡＳ機能に対して、「ＲＲＣ  Ｃｏｎｎｅｃｔｉｏｎ  Ｓｅｔｕｐ（ＲＲＣコネクション設定）」を送信し、ステップＳ１０１２において、ＬＴＥ-ＡＳ機能が、無線基地局ｅＮＢ-Ｂに対して、「ＲＲＣ  Ｃｏｎｎｅｃｔｉｏｎ  Ｓｅｔｕｐ  Ｃｏｍｐｌｅｔｅ（ＲＲＣコネクション設定完了）」及び「Ｓｅｒｖｉｃｅ  Ｒｅｑｕｅｓｔ（サービス要求）」を送信する。
【００２８】
ステップＳ１０１３において、無線基地局ｅＮＢ-Ｂが、交換局ＭＭＥに対して、「Ｓ１  Ｉｎｉｔｉａｌ  ＵＥ  Ｍｅｓｓａｇｅ」を送信し、ステップＳ１０１４において、交換局ＭＭＥが、無線基地局ｅＮＢ-Ｂに対して、「Ｓ１  Ｉｎｉｔｉａｌ  ＵＥ  Ｃｏｎｔｅｘｔ  Ｓｅｔｕｐ」を返送する。
【００２９】
ステップＳ１０１５において、無線基地局ｅＮＢ-Ｂが、交換局ＭＭＥに対して、「Ｓ１  Ｓｅｔｕｐ  Ｃｏｍｐｌｅｔｅ」を送信し、ステップＳ１０１６において、交換局ＭＭＥが、無線基地局ｅＮＢ-Ａに対して、無線基地局ｅＮＢ-Ａと交換局ＭＭＥとの間で確立されているＳ１コネクションを解放するように指示する「Ｓ１  Ｒｅｌｅａｓｅ」を送信する。
【００３０】
ステップＳ１０１７において、無線基地局ｅＮＢ-Ａは、交換局ＭＭＥとの間で確立されているＳ１コネクションを解放した後、その旨を示す「Ｓ１  Ｒｅｌｅａｓｅ  Ｃｏｍｐｌｅｔｅ」を、交換局ＭＭＥに対して送信する。
【００３１】
ステップＳ１０１８において、上述のＳ１コネクションが確立された後、発信手順を継続することによって、すなわち、認証手順や秘匿手順、呼制御手順を行うことによって、ＬＴＥ-ＡＳ機能と無線基地局ｅＮＢ-Ｂとの間、及び、ＬＴＥ-ＮＡＳ機能と交換局ＭＭＥとの間で通信を行うことができる。
【００３２】
第２に、図４を参照して、本実施形態に係る移動通信システムにおけるＮＡＳ機能による再接続手順が正常に終了する場合の動作（２）について説明する。
【００３３】
図４に示すように、ステップＳ２０００において、移動局ＵＥのＬＴＥ-ＡＳ機能と無線基地局ｅＮＢ-Ａとの間で、ＲＲＣコネクションを介した通信が行われている場合に、ステップＳ２００１において、ＬＴＥ-ＡＳ機能が、かかるＲＲＣコネクションにおいて、「Ｒａｄｉｏ  Ｌｉｎｋ  Ｆａｉｌｕｒｅ」を検知すると、Ｔ３１１タイマを起動する。
【００３４】
ＬＴＥ-ＡＳ機能は、ステップＳ２００２において、セルサーチを行い、ステップＳ２００３において、Ｔ３１１タイマが満了する前に、通信可能なセル（図４の例では、無線基地局ｅＮＢ-Ａ配下のセル）を検知すると、ステップＳ２００４において、無線基地局ｅＮＢ-Ａに対して、「ＲＲＣ  Ｃｏｎｎｅｃｔｉｏｎ  Ｒｅｅｓｔａｂｌｉｓｈｍｅｎｔ  Ｒｅｑｕｅｓｔ（再設定要求）」を送信する。
【００３５】
ステップＳ２００５において、ＬＴＥ-ＡＳ機能が、「ＲＲＣ  Ｃｏｎｎｅｃｔｉｏｎ  Ｒｅｅｓｔａｂｌｉｓｈｍｅｎｔ  Ｒｅｑｕｅｓｔ（再設定要求）」に対する応答を受信する前に、Ｔ３１１タイマが満了したため、移動局ＵＥと無線基地局ｅＮＢとの間のＲＲＣコネクションが、アイドル状態に遷移する。
【００３６】
ＬＴＥ-ＡＳ機能は、ステップＳ２００７において、通信可能なセルが存在しないこと（すなわち、圏外であること）を確認し、その旨を示す圏外通知をＥＭＭ機能に送信すると共に、ステップＳ２００８において、「Ｒｅｃｏｎｎｅｃｔ要求（再接続要求）」をＥＭＭ機能に送信する。
【００３７】
ＥＭＭ機能は、「Ｒｅｃｏｎｎｅｃｔ要求（再接続要求）」を受信した場合に、「Ｒｅｃｏｎｎｅｃｔタイマ」を起動する。
【００３８】
その後、ＬＴＥ-ＡＳ機能は、ステップＳ２００８において、通信可能なセルが存在するようになったこと（すなわち、圏内になったこと）を確認し、その旨を示す圏内通知をＥＭＭ機能に送信する。
【００３９】
ここで、ＥＭＭ機能は、上述の圏内通知の受信によって、Ｒｅｃｏｎｎｅｃｔタイマが満了する前に、ＬＴＥ-ＡＳ機能が圏内であることを検知しているため、ステップＳ２００９において、ＬＴＥ-ＡＳ機能に対して、「Ｓｅｒｖｉｃｅ  Ｒｅｑｕｅｓｔ（サービス要求）」を送信する。
【００４０】
ステップＳ２０１０において、ＬＴＥ-ＡＳ機能が、「Ｓｅｒｖｉｃｅ  Ｒｅｑｕｅｓｔ（サービス要求）」に応じて、通信可能なセルを管理している無線基地局ｅＮＢ-Ａに対して、「ＲＲＣ  Ｃｏｎｎｅｃｔｉｏｎ  Ｒｅｑｕｅｓｔ（ＲＲＣコネクション要求）」を送信する。
【００４１】
ステップＳ２０１１において、無線基地局ｅＮＢ-Ａが、ＬＴＥ-ＡＳ機能に対して、「ＲＲＣ  Ｃｏｎｎｅｃｔｉｏｎ  Ｓｅｔｕｐ（ＲＲＣコネクション設定）」を送信し、ステップＳ２０１２において、ＬＴＥ-ＡＳ機能が、無線基地局ｅＮＢ-Ａに対して、「ＲＲＣ  Ｃｏｎｎｅｃｔｉｏｎ  Ｓｅｔｕｐ  Ｃｏｍｐｌｅｔｅ（ＲＲＣコネクション設定完了）」及び「Ｓｅｒｖｉｃｅ  Ｒｅｑｕｅｓｔ（サービス要求）」を送信する。
【００４２】
ここで、無線基地局ｅＮＢ-Ａと交換局ＭＭＥとの間のＳ１コネクションが確立されていない場合、ステップＳ２０１３において、無線基地局ｅＮＢ-Ａが、交換局ＭＭＥに対して、「Ｓ１  Ｉｎｉｔｉａｌ  ＵＥ  Ｍｅｓｓａｇｅ」を送信し、ステップＳ２０１４において、交換局ＭＭＥが、無線基地局ｅＮＢ-Ｂに対して、「Ｓ１  Ｉｎｉｔｉａｌ  ＵＥ  Ｃｏｎｔｅｘｔ  Ｓｅｔｕｐ」を返送し、ステップＳ２０１５において、無線基地局ｅＮＢ-Ａが、交換局ＭＭＥに対して、「Ｓ１  Ｓｅｔｕｐ  Ｃｏｍｐｌｅｔｅ」を送信する。
【００４３】
その後、ステップＳ２０１６において、発信手順を継続することによって、すなわち、認証手順や秘匿手順、呼制御手順を行うことによって、ＬＴＥ-ＡＳ機能と無線基地局ｅＮＢ-Ａとの間、及び、ＬＴＥ-ＮＡＳ機能と交換局ＭＭＥとの間で通信を行うことができる。
【００４４】
第３に、図５を参照して、本実施形態に係る移動通信システムにおけるＮＡＳ機能による再接続手順が異常終了する場合の動作について説明する。
【００４５】
図５に示すように、ステップＳ３０００において、移動局ＵＥのＬＴＥ-ＡＳ機能と無線基地局ｅＮＢとの間で、ＲＲＣコネクションを介した通信が行われている場合に、ステップＳ３００１において、ＬＴＥ-ＡＳ機能が、かかるＲＲＣコネクションにおいて、「Ｒａｄｉｏ  Ｌｉｎｋ  Ｆａｉｌｕｒｅ」を検知すると、Ｔ３１１タイマを起動する。
【００４６】
ＬＴＥ-ＡＳ機能は、ステップＳ３００２において、セルサーチを行い、ステップＳ３００３において、Ｔ３１１タイマが満了する前に、通信可能なセルを検知することができなかったため、ステップＳ３００４において、移動局ＵＥと無線基地局ｅＮＢとの間のＲＲＣコネクションが、アイドル状態に遷移する。
【００４７】
ＬＴＥ-ＡＳ機能は、ステップＳ３００５において、通信可能なセルが存在しないこと（すなわち、圏外であること）を確認し、その旨を示す圏外通知をＥＭＭ機能に送信すると共に、ステップＳ３００６において、「Ｒｅｃｏｎｎｅｃｔ要求（再接続要求）」をＥＭＭ機能に送信する。
【００４８】
ＥＭＭ機能は、「Ｒｅｃｏｎｎｅｃｔ要求（再接続要求）」を受信した場合に、「Ｒｅｃｏｎｎｅｃｔタイマ」を起動する。
【００４９】
その後、ＥＭＭ機能は、Ｒｅｃｏｎｎｅｃｔタイマが満了する前に、ＬＴＥ-ＡＳ機能が圏内であることを検知することができなかったため、ステップＳ３００７において、ＬＴＥ-ＡＳ機能から圏内通知を受信した場合であっても、ＬＴＥ-ＡＳ機能に対して、「Ｓｅｒｖｉｃｅ  Ｒｅｑｕｅｓｔ（サービス要求）」を送信しない。
【００５０】
第４に、図６を参照して、本実施形態に係る移動通信システムにおけるＮＡＳ機能による再接続手順が正常に終了する場合の動作（３）について説明する。
【００５１】
図６に示すように、ステップＳ４０００において、移動局ＵＥのＬＴＥ-ＡＳ機能と無線基地局ｅＮＢ-Ａとの間で、ＲＲＣコネクションを介した通信が行われている場合に、ステップＳ４００１において、ＬＴＥ-ＡＳ機能が、かかるＲＲＣコネクションにおいて、「Ｒａｄｉｏ  Ｌｉｎｋ  Ｆａｉｌｕｒｅ」を検知すると、Ｔ３１１タイマを起動する。
【００５２】
ＬＴＥ-ＡＳ機能は、ステップＳ４００２において、セルサーチを行い、ステップＳ４００３において、Ｔ３１１タイマが満了する前に、通信可能なＵＴＲＡ（ＵＭＴＳ  Ｔｅｒｒｅｓｔｒｉａｌ  Ｒａｄｉｏ  Ａｃｃｅｓｓ）方式のセルを検知する。
【００５３】
かかる場合、ステップＳ４００４において、ＬＴＥ-ＡＳ機能によって、「ＲＲＣ  Ｃｏｎｎｅｃｔｉｏｎ  Ｒｅｅｓｔａｂｌｉｓｈｍｅｎｔ  Ｒｅｑｕｅｓｔ（再設定要求）」が送信されることなく、かつ、Ｔ３１１タイマの満了を待つことなく、移動局ＵＥと無線基地局ｅＮＢとの間のＲＲＣコネクションが、アイドル状態に遷移する。
【００５４】
ステップＳ４００５において、ＬＴＥ-ＡＳ機能の代わりに、ＵＭＴＳ-ＡＳ機能が、再接続手順を行うように変更される。
【００５５】
ＵＭＴＳ-ＡＳ機能は、ステップＳ４００６において、「Ｒｅｃｏｎｎｅｃｔ要求（再接続要求）」をＧＭＭ機能に送信し、ステップＳ４００７において、通信可能なセルが存在すること（すなわち、圏内であること）を確認し、その旨を示す圏内通知をＧＭＭ機能に送信する。
【００５６】
或いは、ステップＳ４００４において、上述のように、移動局ＵＥと無線基地局ｅＮＢとの間のＲＲＣコネクションが、アイドル状態に遷移した後、ＬＴＥ-ＡＳ機能は、ステップＳ４００４Ａにおいて、「Ｒｅｃｏｎｎｅｃｔ要求（再接続要求）」をＥＭＭ機能に送信し、ステップＳ４００５で、ＲＡＴの変更を行ってもよい（図７参照）。かかる場合、ステップＳ４００６において、ＥＭＭ機能は、「Ｒｅｃｏｎｎｅｃｔ要求（再接続要求）をＧＭＭ機能に送信する必要がある。
【００５７】
ＧＭＭ機能は、「Ｒｅｃｏｎｎｅｃｔ要求（再接続要求）」を受信した場合に、「Ｒｅｃｏｎｎｅｃｔタイマ」を起動する。
【００５８】
ここで、ＧＭＭ機能は、上述の圏内通知の受信によって、Ｒｅｃｏｎｎｅｃｔタイマが満了する前に、ＵＭＴＳ-ＡＳ機能が圏内であることを検知しているため、ステップＳ４００８において、ＵＭＴＳ-ＡＳ機能に対して、「Ｓｅｒｖｉｃｅ  Ｒｅｑｕｅｓｔ（サービス要求）」を送信する。
【００５９】
ステップＳ４００９において、ＵＭＴＳ-ＡＳ機能が、「Ｓｅｒｖｉｃｅ  Ｒｅｑｕｅｓｔ（サービス要求）」に応じて、通信可能なセルを管理している無線基地局ＮＢ及び無線制御装置ＲＮＣに対して、「ＲＲＣ  Ｃｏｎｎｅｃｔｉｏｎ  Ｒｅｑｕｅｓｔ（ＲＲＣコネクション要求）」を送信する。
【００６０】
ステップＳ４０１０において、無線制御装置ＲＮＣが、ＵＭＴＳ-ＡＳ機能に対して、「ＲＲＣ  Ｃｏｎｎｅｃｔｉｏｎ  Ｓｅｔｕｐ（ＲＲＣコネクション設定）」を送信し、ステップＳ４０１１及びＳ４０１２において、ＵＭＴＳ-ＡＳ機能が、無線基地局ＮＢ及び無線制御装置ＲＮＣに対して、「ＲＲＣ  Ｃｏｎｎｅｃｔｉｏｎ  Ｓｅｔｕｐ  Ｃｏｍｐｌｅｔｅ（ＲＲＣコネクション設定完了）」及び「Ｓｅｒｖｉｃｅ  Ｒｅｑｕｅｓｔ（サービス要求）」を送信する。
【００６１】
ステップＳ４０１３において、無線制御装置ＲＮＣが、交換局ＳＧＳＮに対して、「Ｓ１  Ｉｎｉｔｉａｌ  ＵＥ  Ｍｅｓｓａｇｅ」及び「Ｓｅｒｖｉｃｅ  Ｒｅｑｕｅｓｔ」を送信する。
【００６２】
その後、交換局ＳＧＳＮが、交換局ＭＭＥに対して、無線基地局ｅＮＢと交換局ＭＭＥとの間で確立されているＳ１コネクションを解放するように指示する「Ｓ１  Ｒｅｌｅａｓｅ」を送信する。
【００６３】
ここで、かかるＳ１コネクションが存在している場合、ステップＳ４０１５において、交換局ＭＭＥが、無線基地局ｅＮＢに対して、無線基地局ｅＮＢと交換局ＭＭＥとの間で確立されているＳ１コネクションを解放するように指示する「Ｓ１  Ｒｅｌｅａｓｅ」を送信する。
【００６４】
ステップＳ４０１６において、無線基地局ｅＮＢが、交換局ＭＭＥとの間で確立されているＳ１コネクションを解放した後、その旨を示す「Ｓ１  Ｒｅｌｅａｓｅ  Ｃｏｍｐｌｅｔｅ」を、交換局ＭＭＥに対して送信する。
【００６５】
ステップＳ４０１７において、上述のＩｕコネクションが確立された後、発信手順を継続することによって、すなわち、認証手順や秘匿手順、呼制御手順を行うことによって、ＵＭＴＳ-ＡＳ機能と無線基地局ＮＢ及び無線制御装置ＲＮＣとの間で、及び、ＵＭＴＳ-ＮＡＳ機能と交換局ＳＧＳＮとの間で通信を行うことができる。
【００６６】
（本発明の第１の実施形態に係る移動通信システムの作用・効果）
本発明の第１の実施形態に係る移動通信システムによれば、ＥＭＭ機能は、ＲＲＣコネクションがアイドル状態になった場合には、ＬＴＥ-ＡＳ機能からの圏内通知及びＲｅｃｃｏｎｅｃｔ要求の受信を契機に、Ｓｅｒｖｉｃｅ  Ｒｅｑｕｅｓｔを送信することによって、ＲＲＣコネクションがアイドル状態になった後に切断されずに残っているＳ１コネクションを解放することができる。
【００６７】
その結果、交換局ＭＭＥが、移動局ＵＥ宛ての着信信号等を、ＲＲＣコネクションが確立されていない無線基地局ｅＮＢに対して転送してしまうことから来る不具合を解消することができる。
【００６８】
また、本発明の第１の実施形態に係る移動通信システムによれば、ＥＭＭ機能は、Ｓｅｒｖｉｃｅ  Ｒｅｑｕｅｓｔタイマが満了した後には、ＬＴＥ-ＡＳ機能が圏内になった場合であっても、Ｓｅｒｖｉｃｅ  Ｒｅｑｕｅｓｔを送信しないように構成することによって、無駄なＳｅｒｖｉｃｅ  Ｒｅｑｕｅｓｔの送信を回避することができる。
【００６９】
（変更例）
なお、上述の交換局ＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥや無線基地局ｅＮＢや移動局ＵＥ内に設けられていてもよい。また、かかる記憶媒体及びプロセッサは、ディスクリートコンポーネントとして交換局ＭＭＥや無線基地局ｅＮＢや移動局ＵＥ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７３】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【符号の説明】
【００７４】
ＵＥ…移動局
ＭＭＥ、ＳＧＳＮ…交換局
ｅＮＢ、ＮＢ…無線基地局
ＲＮＣ…無線制御装置
【図１】
2010004504.tif 000003
【図２】
2010004504.tif 000004
【図３】
2010004504.tif 000005
【図４】
2010004504.tif 000006
【図５】
2010004504.tif 000007
【図６】
2010004504.tif 000008
【図７】
2010004504.tif 000009
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
移動局が、第１プロトコル機能及び第２プロトコル機能を用いて、該移動局と無線基地局との間の第１コネクション及び該無線基地局と交換局との間の第２コネクションを介して通信を行う移動通信方法であって、
前記第１プロトコル機能は、前記無線基地局との間で終端する第１プロトコルに対応する処理を行い、
前記第２プロトコル機能は、該第１プロトコルの上位のプロトコルであり、前記移動局と交換局との間で終端する第２プロトコルに対応する処理を行い、
前記第１プロトコル機能が、前記第１コネクションがアイドル状態になったことを検知した場合に、前記第２プロトコル機能に対して、再接続要求を送信する工程と、
前記第２プロトコル機能が、前記再接続要求を受信した場合で、かつ、前記第１プロトコル機能が圏内であることを検知した場合に、サービス要求を送信する工程とを有することを特徴とする移動通信方法。
【請求項２】
第１プロトコル機能及び第２プロトコル機能を用いて、無線基地局との間の第１コネクション及び該無線基地局と交換局との間の第２コネクションを介して通信を行うように構成されている移動局であって、
前記第１プロトコル機能は、前記無線基地局との間で終端する第１プロトコルに対応する処理を行うように構成されており、
前記第２プロトコル機能は、該第１プロトコルの上位のプロトコルであり、前記移動局と交換局との間で終端する第２プロトコルに対応する処理を行うように構成されており、
前記第１プロトコル機能は、前記第１コネクションがアイドル状態になったことを検知した場合に、前記第２プロトコル機能に対して、再接続要求を送信するように構成されており、
前記第２プロトコル機能は、前記再接続要求を受信した場合で、かつ、前記第１プロトコル機能が圏内であることを検知した場合に、サービス要求を送信するように構成されていることを特徴とする移動局。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
移動局が、第１プロトコル機能及び第２プロトコル機能を用いて、該移動局と無線基地局との間の第１コネクション及び該無線基地局と交換局との間の第２コネクションを介して通信を行う移動通信方法であって、
前記第１プロトコル機能は、前記無線基地局との間で終端する第１プロトコルに対応する処理を行い、
前記第２プロトコル機能は、該第１プロトコルの上位のプロトコルであり、前記移動局と交換局との間で終端する第２プロトコルに対応する処理を行い、
前記第１プロトコル機能が、第１無線基地局との間で確立している第1コネクションにおいて「Ｒａｄｉｏ  Ｌｉｎｋ  Ｆａｉｌｕｒｅ」を検知した後、セルサーチを行うことによって検出されたセルを管理する第２無線基地局に対して再設定要求を送信する工程と、
前記第２無線基地局が、前記再設定要求を受信した場合に、前記第１プロトコル機能に対して再設定拒否応答を送信する工程と、
前記第１プロトコル機能が、前記再設定拒否応答を受信した場合、前記第２プロトコル機能が、サービス要求を送信する工程とを有することを特徴とする移動通信方法。
【請求項２】
前記第１プロトコル機能によって送信されたサービス要求に応じて、前記第１無線基地局及び前記交換局が、前記第１コネクションを解放し、前記第２無線基地局及び該交換局が、第２コネクションを確立する工程を更に有することを特徴とする請求項１に記載の移動通信方法。
【請求項３】
第１プロトコル機能及び第２プロトコル機能を用いて、無線基地局との間の第１コネクション及び該無線基地局と交換局との間の第２コネクションを介して通信を行うように構成されている移動局であって、
前記第１プロトコル機能は、前記無線基地局との間で終端する第１プロトコルに対応する処理を行うように構成されており、
前記第２プロトコル機能は、該第１プロトコルの上位のプロトコルであり、前記移動局と交換局との間で終端する第２プロトコルに対応する処理を行うように構成されており、
前記第１プロトコル機能は、前記第1コネクションにおいて「Ｒａｄｉｏ  Ｌｉｎｋ  Ｆａｉｌｕｒｅ」を検知した後、セルサーチを行うことによって検出されたセルを管理する無線基地局に対して再設定要求を送信し、該セルを管理する無線基地局から再設定拒否応答を受信するように構成されており、
前記第２プロトコル機能は、前記第１プロトコル機能によって前記再設定拒否応答が受信された場合に、サービス要求を送信するように構成されていることを特徴とする移動局。
【請求項４】
移動局が、第１プロトコル機能及び第２プロトコル機能を用いて、該移動局と無線基地局との間の第１コネクション及び該無線基地局と交換局との間の第２コネクションを介して通信を行う移動通信方法であって、
前記第１プロトコル機能は、前記無線基地局との間で終端する第１プロトコルに対応する処理を行い、
前記第２プロトコル機能は、該第１プロトコルの上位のプロトコルであり、前記移動局と交換局との間で終端する第２プロトコルに対応する処理を行い、
前記第１プロトコル機能が、第１無線基地局との間で確立している第1コネクションにおいて「Ｒａｄｉｏ  Ｌｉｎｋ  Ｆａｉｌｕｒｅ」を検知した後、該第１コネクションが、アイドル状態になった場合、前記第２プロトコル機能が、サービス要求を送信する工程とを有することを特徴とする移動通信方法。
【請求項５】
前記第１プロトコル機能によって送信されたサービス要求に応じて、前記第１無線基地局及び前記交換局が、前記第１コネクションを解放し、第２無線基地局及び該交換局が、第２コネクションを確立する工程を更に有することを特徴とする請求項１に記載の移動通信方法。
【請求項６】
第１プロトコル機能及び第２プロトコル機能を用いて、無線基地局との間の第１コネクション及び該無線基地局と交換局との間の第２コネクションを介して通信を行うように構成されている移動局であって、
前記第１プロトコル機能は、前記無線基地局との間で終端する第１プロトコルに対応する処理を行うように構成されており、
前記第２プロトコル機能は、該第１プロトコルの上位のプロトコルであり、前記移動局と交換局との間で終端する第２プロトコルに対応する処理を行うように構成されており、
前記第１プロトコル機能は、前記第1コネクションにおいて「Ｒａｄｉｏ  Ｌｉｎｋ  Ｆａｉｌｕｒｅ」を検知するように構成されており、
前記第２プロトコル機能は、前記第１コネクションがアイドル状態になった場合に、サービス要求を送信するように構成されていることを特徴とする移動局。
【手続補正２】
【補正対象書類名】明細書
【補正対象項目名】００１４
【補正方法】変更
【補正の内容】
【００１４】
ここで、ＬＴＥ-ＡＳ機能及びＵＭＴＳ-ＡＳ機能が、移動局ＵＥと無線基地局ｅＮＢ/ＮＢとの間で終端するＡＳプロトコル（第１プロトコル）に対応する処理を行うように構成
されている。